(57)【特許請求の範囲】
【請求項１】
メータ本体と、取付部および挿入部を有する板状の証印ブラケットと、保持孔を有する証印体とを備え、前記取付部は前記証印ブラケットの一端側に設けられ、前記挿入部は前記証印ブラケットの他端側に設けられ、前記証印体は前記保持孔に前記証印ブラケットの挿入部へ挿入され、前記証印ブラケットの取付部は前記メータ本体に取り付けられることを特徴とするガスメータ。
【請求項２】
前記挿入部は前記証印体の保持孔への挿入時に嵌合状態で証印体を保持することを特徴とする請求項１記載のガスメータ。
【請求項３】
前記挿入部は少なくとも１の弾性的な爪部を有し前記証印体の保持孔への挿入時に爪部により証印体を弾性的に保持することを特徴とする請求項１記載のガスメータ。
【請求項４】
前記挿入部の爪部は板状の証印ブラケットの片面側に形成されたことを特徴とする請求項３記載のガスメータ。
【請求項５】
前記挿入部の爪部は板状の証印ブラケットの両面側にそれぞれ形成されたことを特徴とする請求項３記載のガスメータ。
【請求項６】
メータ本体と、取付部を有する板状の証印ブラケットと、証印体とを備え、前記取付部は前記証印ブラケットの一端側に設けられ、前記証印体は前記証印ブラケットの他端側に一体的に形成され、前記証印ブラケットの取付部は前記メータ本体に取り付けられることを特徴とするガスメータ。
【請求項７】
メータ本体へ保持孔を有する証印体を取り付ける方法であって、一端側に取付部を有し、他端側に挿入部を有する板状の証印ブラケットを用意するステップと、前記証印体の保持孔へ前記証印ブラケットの挿入部を挿入するステップと、前記メータ本体へ前記証印ブラケットの取付部を取り付けるステップとを含むことを特徴とする証印体の取り付け方法。
【請求項８】
メータ本体へ証印体を取り付ける方法であって、一端側に取付部を有し、他端側に一体的に形成された証印体を有する証印ブラケットを用意するステップと、前記メータ本体へ前記証印ブラケットの取付部を取り付けるステップとを含むことを特徴とする証印体の取り付け方法。
【発明の詳細な説明】
【０００１】
【発明の属する技術分野】
本発明は、検定に合格したことを示す証印体が取り付けられたガスメータおよびその証印体の取り付け方法に関する。
【０００２】
【従来の技術】
例えばガスメータでは、検定に合格すると、通商産業省令で定めるところにより、メータ本体に取り付けられた証印体（鉛玉）に対して証印と検定有効年月とが押印される。この証印体は証印ブラケットと称される金属（ステンレス）片を介してメータ本体に取り付けられるようになっている。図９および図１０は、従来のガスメータにおける証印ブラケットの取り付け状態を表すものである。証印ブラケット１０３は、メータ本体１００の流量表示部を覆うための表示部カバー１０１と共にねじ１０２によってメータ本体１００に取り付けられている。この証印ブラケット１０３の先端に証印体（鉛玉）１０４が保持されている。
【０００３】
従来の証印ブラケット１０３は２枚重ねにして使用されるもので、表示部カバー１０１と共にねじ１０２によりメータ本体１００に固定されたのち、２枚重ねの状態で証印体１０４の保持孔１０４ａに挿通される。保持孔１０４ａを突き抜けた証印ブラケット１０３の先端部は２枚重ねの状態で折り曲げられ、これにより証印体１０４の落下が防止される。この状態で検定が行われ、合格すると、証印体１０４の表裏に証印と検定有効年月とが押印される。
【０００４】
【発明が解決しようとする課題】
しかしながら、従来の証印ブラケットを用いたガスメータでは次のような問題があった。すなわち、（１）メータ本体１００に先に証印ブラケット１０３を取り付けた後に、この証印ブラケット１０３を証印体１０４の保持孔１０４ａに通す必要があるため取付作業の自動化が困難である。（２）証印ブラケット１０３の先端を証印体１０４の保持孔１０４ａに挿通させるときに証印ブラケット１０３が２枚重ねのために挿通作業がやりにくい。また、（３）証印ブラケット１０３を証印体１０４の保持孔１０４ａに挿通させたのち、証印体１０４の脱落を防止するために証印ブラケット１０３の先端部を２枚重ねの状態で折り曲げる作業が必要である。（４）証印体１０４の表裏面に証印と検定有効年月を押印するときには検印者が証印体１０４の表裏を反転させて行うが、２枚重ねの証印ブラケット１０３の強度が強いため証印体１０４を裏返す作業がやりにくいという問題があった。
【０００５】
本発明はかかる問題点に鑑みてなされたもので、その目的は、証印体の取り付け作業の自動化を図ることができると共に証印体への押印作業が容易となるガスメータおよび証印体の取り付け方法を提供することにある。
【０００６】
【課題を解決するための手段】
本発明のガスメータは、メータ本体と、取付部および挿入部を有する板状の証印ブラケットと、保持孔を有する証印体とを備え、取付部は証印ブラケットの一端側に設けられ、挿入部は証印ブラケットの他端側に設けられ、証印体は保持孔に証印ブラケットの挿入部へ挿入され、証印ブラケットの取付部はメータ本体に取り付けられることを特徴としている。
【０００７】
このガスメータでは、板状の証印ブラケットが取付部を介してメータ本体に取り付けられると共に、その挿入部が証印体の保持孔へ挿入されることにより証印体を保持する。ガスメータに証印ブラケットを取り付ける際に証印ブラケットを閉ループ状に折り曲げる工程を必要としないので、証印体が挿入部に対して別工程において容易に取り付けられる。また、検印と検定有効年月とを押印するときに、容易に証印体の位置変えが行われる。
【０００８】
本発明のガスメータでは、証印ブラケットの挿入部による証印体の保持形式として、挿入部が、証印体の保持孔への挿入時に嵌合状態で証印体を保持する態様、あるいは、挿入部が少なくとも１の弾性的な爪部を有し証印体の保持孔への挿入時に爪部により証印体を弾性的に保持する態様とすることができる。この挿入部の爪部は板状のブラケット本体の片面側に形成してもよく、あるいはブラケット本体の両面側それぞれに形成するようにしてもよい。また、証印ブラケットと証印体とを一体的に成型するようにしてもよい。
【０００９】
本発明の第１の観点に係る証印体の取り付け方法は、メータ本体へ保持孔を有する証印体を取り付ける方法であって、一端側に取付部を有し、他端側に挿入部を有する板状の証印ブラケットを用意するステップと、証印体の保持孔へ証印ブラケットの挿入部を挿入するステップと、メータ本体へ証印ブラケットの取付部を取り付けるステップとを含むことを特徴としている。
また、本発明の第２の観点に係る証印体の取り付け方法は、メータ本体へ証印ブラケットと一体的に形成された証印体を取り付ける方法であって、一端側に取付部を有し、他端側に一体的に形成された証印体を有する証印ブラケットを用意するステップと、メータ本体へ証印ブラケットの取付部を取り付けるステップとを含むことを特徴としている。
【００１０】
【発明の実施の形態】
以下、本発明の実施の形態について図面を参照して詳細に説明する。
【００１１】
〔第１の実施の形態〕
図１は本発明の第１の実施の形態に係る証印ブラケットを用いた証印対象機器例えばガスメータ１０の正面から見た構成を表すものである。図２は図１に示したガスメータ１０の要部の側面構成を一部断面して表したものである。
【００１２】
このガスメータ１０は、メータ本体１１の前面に方形状の流量表示部１２を有し、この流量表示部１２は表示部カバー１３により覆われている。この表示部カバー１３の四隅がそれぞれねじ１４により固定されている。表示部カバー１３の例えば正面から見て右下にはねじ１４により表示部カバー１３と共に証印ブラケット１５が取り付けられている。証印ブラケット１５は１枚の例えば厚さ０．３ｍｍのステンレス板により形成されている。この証印ブラケット１５は幅の広い（例えば９ｍｍ）ブラケット本体１５ａを有し、このブラケット本体１５ａの基端部にねじ孔が形成された取付部１５ｂが設けられると共に、その先端部に幅の狭い（例えば５ｍｍ）挿入部１５ｃが設けられている。ブラケット本体１５ａの挿入部１５ｃは証印体１６の保持孔１６ａに挿入されている。証印体１６は例えば鉛により円柱状に形成されたものである。証印体１６に設けられた保持孔１６ａの幅および高さはブラケット本体１５ａの挿入部１５ｃと略同じであり、ブラケット本体１５ａの挿入部１５ｃが挿入されると互いに嵌合状態となり、これにより証印体１６が証印ブラケット１５に強固に保持されるようになっている。
【００１３】
本実施の形態では、まず、予め別工程において証印ブラケット１５の挿入部１５ｃを証印体１６の保持孔１６ａに挿入し、証印ブラケット１５に対して証印体１６を保持させる。この証印体１６をメータ本体１１に取り付けて検印を行うときには、証印体１６が保持された証印ブラケット１５を取付部１５ｂを介してメータ本体１１の流量表示部１２に表示部カバー１３と共にねじ１４により取り付ける。この状態で検定を行い、合格すると、証印体１６の表裏に証印と検定有効年月とを押印し明記する。
【００１４】
本実施の形態では、証印ブラケット１５を１枚の板状体により構成するようにしているので、証印体１６を予め別工程において証印ブラケット１５の挿入部１５ｃに対して容易に取り付けることができると共に、従来の証印ブラケットのように証印体の保持のために先端部を折り曲げる作業を行う必要がないので、証印体の取付作業の自動化を図ることができる。なお、証印体１６の証印ブラケット１５への取り付けは、上記のように予め別工程において自動的に行うようにしてもよいが、証印ブラケット１５をメータ本体１１に取り付ける際に同時に行ってもよい。また、証印ブラケット１５が１枚の板状体により構成されていることから、検定ののち証印と検定有効年月とを押印するときに、証印体１６の位置変えを容易に行うことができる。
【００１５】
なお、上記実施の形態では、証印ブラケット１５と証印体１６とを別々に成型し、成型後証印ブラケット１５に証印体１６を取り付けるようにしているが、図３に示したように、これら証印ブラケット１５および証印体１６の成型時に一体的に成型するようにしてもよい。
【００１６】
第１の実施の形態では、証印ブラケットの挿入部による証印体の保持形式として、挿入部が、証印体の保持孔への挿入時に嵌合状態で証印体を保持する態様としたが、以下のような態様とすることもできる。
【００１７】
〔第２の実施の形態〕
図５および図６は第２の実施の形態に係る証印ブラケットを用いたガスメータの要部構成を表すものである。なお、第１の実施の形態と同一構成部分については同一符号を付してその説明は省略する。本実施の形態の証印ブラケット２０では、第１の実施の形態と同様に、幅の広いブラケット本体２０ａの基端部にねじ孔が形成された取付部２０ｂが設けられると共に、ブラケット本体２０ａの先端部に幅の狭い挿入部２０ｃが設けられている。ブラケット本体１５ａの挿入部２０ｃには、この挿入部２０ｃの一部を両面それぞれの側に向けて切り起こすことにより形成された爪部２０ｄ，２０ｅが設けられている。爪部２０ｄ，２０ｅは共に挿入方向とは反対側の方向に向かうように形成されている。一方、証印体２１に設けられた保持孔２１ａの高さはブラケット本体２０ａの挿入部２０ｃの厚さよりもわずかに大きくなっており、ブラケット本体２０ａの挿入部２０ｃが挿入されると爪部２０ｄ，２０ｅにより証印体２１を弾性的に保持するようになっている。
【００１８】
このような構成であるため、本実施の形態では、証印ブラケット２０の挿入部２０ｃを証印体２１の保持孔２１ａに挿入すると、爪部２０ｄ，２０ｅが保持孔２１ａの壁面に弾性的に当接することにより証印体２１を保持することができる。また、爪部２０ｄ，２０ｅが挿入方向とは反対側の方向に向かうように形成されているため、証印ブラケット２０に対して証印体２１は強固に保持される。その他の作用効果は第１の実施の形態と同様であるため、その説明は省略する。
【００１９】
なお、証印ブラケット２０の爪部は上記実施の形態のように挿入部２０ｃの両面側それぞれに設けるようにしてもよいが、図７および図８に示したように挿入部２０ｃの片面にのみ爪部２０ｄを設ける構成としてもよい。作用効果は第１の実施の形態と同様であり、その説明は省略する。
【００２０】
以上実施の形態を挙げて本発明を説明したが、本発明は上記実施の形態に限定されるものではなく、種々変形可能である。例えば、上記実施の形態では、証印対象機器としてガスメータについて説明したが、その他の証印が要求される機器全てに適用することができる。また、上記実施の形態では証印ブラケットの取付位置をガスメータ本体の表示部の近傍としたが、機器本体に関連した位置であればいずれの位置に取り付けるようにしてもよい。更に、証印ブラケットおよび証印体の材質は上記実施の形態のものに限らず、その他の材料を用いて形成するようにしてもよいことはいうまでもない。
【００２１】
【発明の効果】
以上説明したように本発明のガスメータおよび証印体の取り付け方法によれば、一端側に取付部を有し、他端側に挿入部を有する板状の証印ブラケットを備える構成としたので、閉ループ状に折り曲げることなくガスメータに実装できるため、証印体が挿入部に対して別工程において容易に取り付けられると共に、取り付け作業の自動化を図ることができるという効果を奏する。
【００２２】
また、本発明のガスメータおよび証印体の取り付け方法によれば、上記した証印ブラケットを用いてガスメータに証印体を取り付けるようにしたので、検印作業を容易に行うことができるという効果を奏する。
【図面の簡単な説明】
【図１】本発明の第１の実施の形態に係るガスメータの構成を表す正面図である。
【図２】図１に示したガスメータの要部構成を一部断面して表す側面図である。
【図３】第１の実施の形態の変形例の要部構成を表す正面図である。
【図４】図３に示したガスメータの要部構成の側面図である。
【図５】本発明の第２の実施の形態に係るガスメータの要部構成を表す正面図である。
【図６】図５に示したガスメータの要部構成を一部断面して表す側面図である。
【図７】第２の実施の形態の変形例の要部構成を表す正面図である。
【図８】図７に示したガスメータの要部構成を一部断面して表す側面図である。
【図９】従来のガスメータの要部構成を表す正面図である。
【図１０】図９に示したガスメータの要部構成を一部断面して表す側面図である。
【符号の説明】
１０  ガスメータ
１１  メータ本体
１２  流量表示部
１３  表示部カバー
１４  ねじ
１５，２０  証印ブラケット
１５ａ，２０ａ  ブラケット本体
１５ｂ，２０ｂ  取付部
１５ｃ，２０ｃ  挿入部
１６，２１  証印体
１６ａ，２１ａ  保持孔
【図１】
0003620618.tif 000002
【図２】
0003620618.tif 000003
【図３】
0003620618.tif 000004
【図４】
0003620618.tif 000005
【図５】
0003620618.tif 000006
【図６】
0003620618.tif 000007
【図７】
0003620618.tif 000008
【図８】
0003620618.tif 000009
【図９】
0003620618.tif 000010
【図１０】
0003620618.tif 000011